(57)【要約】  道路に設けられる基地局は、２以上の車両によって構成される連結車列において先頭に位置する第１車両から、前記第１車両が先頭車両であることを特定するための第１情報要素を含むメッセージを受信するとともに、前記連結車列において後尾に位置する第２車両から、前記第２車両が後尾車両であることを特定するための第２情報要素を含むメッセージを受信する受信部と、前記第１情報要素及び前記第２情報要素に基づいて、前記道路に設けられる交通安全装置を制御するメッセージを前記交通安全装置に送信する制御部と、を備える。
2020022398.tif 000002
【特許請求の範囲】
【請求項１】
道路に設けられる基地局であって、
２以上の車両によって構成される連結車列において先頭に位置する第１車両から、前記第１車両が先頭車両であることを特定するための第１情報要素を含むメッセージを受信するとともに、前記連結車列において後尾に位置する第２車両から、前記第２車両が後尾車両であることを特定するための第２情報要素を含むメッセージを受信する受信部と、
前記第１情報要素及び前記第２情報要素に基づいて、前記道路に設けられる交通安全装置を制御するメッセージを前記交通安全装置に送信する制御部と、を備える基地局。
【請求項２】
前記交通安全装置として、前記連結車列が通る進行道路に設けられるゲートが設けられており、
前記制御部は、
前記第１情報要素に基づいて、前記ゲートを開くように指示するメッセージを送信し、
前記第２情報要素に基づいて、前記ゲートを閉じるように指示するメッセージを送信する、請求項１に記載の基地局。
【請求項３】
前記交通安全装置として、前記連結車列が通る進行道路と交差する交差道路に設けられる信号機が設けられており、
前記制御部は、
前記第１情報要素に基づいて、前記交差道路を通る車両の停止信号を前記信号機に表示するように要求するメッセージを送信し、
前記第２情報要素に基づいて、前記交差道路を通る車両の進行信号を前記信号機に表示するように要求するメッセージを送信する、請求項１及び請求項２のいずれか１項に記載の基地局。
【請求項４】
前記第１情報要素は、前記第１車両が前記先頭車両であることを識別する情報要素及び前記第１車両の位置を示す情報要素の少なくともいずれか１つを含む、請求項１乃至請求項３のいずれか１項に記載の基地局。
【請求項５】
前記第２情報要素は、前記第２車両が前記後尾車両であることを識別する情報要素及び前記第２車両の位置を示す情報要素の少なくともいずれか１つを含む、請求項１乃至請求項４のいずれか１項に記載の基地局。
【請求項６】
前記受信部は、前記２以上の車両のそれぞれから、前記２以上の車両のそれぞれの位置を示す第３情報要素を含むメッセージを受信し、
前記制御部は、前記第３情報要素に基づいて、前記２以上の車両が前記連結車列を構成しているか否かを判定する、請求項１乃至請求項５のいずれか１項に記載の基地局。
【請求項７】
道路に設けられる基地局と少なくとも通信を行う車両であって、
前記基地局にメッセージを送信する送信部と、
前記送信部を少なくとも制御する制御部と、を備え、
前記制御部は、
前記車両が２以上の車両によって構成される連結車列の先頭に位置する場合に、前記車両が先頭車両であることを特定するための第１情報要素を含むメッセージを送信するように前記通信部を制御し、
前記車両が前記連結車列の後尾に位置する場合に、前記車両が後尾車両であることを特定するための第２情報要素を含むメッセージを送信するように前記通信部を制御する、車両。
【請求項８】
道路に設けられる基地局と、
２以上の車両によって構成される連結車列において先頭に位置する第１車両と、
前記連結車列において後尾に位置する第２車両と、を備え、
前記基地局は、
前記第１車両から、前記第１車両が先頭車両であることを特定するための第１情報要素を含むメッセージを受信するとともに、前記第２車両から、前記第２車両が後尾車両であることを特定するための第２情報要素を含むメッセージを受信する受信部と、
前記第１情報要素及び前記第２情報要素に基づいて、前記道路に設けられる交通安全装置を制御するメッセージを前記交通安全装置に送信する制御部と、を備える、交通通信システム。 
【発明の詳細な説明】
【技術分野】
【０００１】
本発明は、基地局、車両及び交通通信システムに関する。
【背景技術】
【０００２】
従来、高度交通システム（例えば、ＩＴＳ；Ｉｎｔｅｌｌｉｇｅｎｔ  Ｔｒａｎｓｐｏｒｔ  Ｓｙｓｔｅｍ）において、道路に設けられる路側機（基地局）と車両との間で通信を行う技術が提案されている（例えば、特許文献１）。
【先行技術文献】
【非特許文献】
【０００３】
【非特許文献１】一般社団法人電波産業会、”７００ＭＨｚ帯高度道路交通システム  ＡＲＩＢ−ＳＴＤＴ１０９  １．３版“，［ｏｎｌｉｎｅ］、平成２９年７月２７日、［平成３０年６月２２日検索］、インターネット1563864112107_0.html
【発明の概要】
【０００４】
第１の特徴に係る基地局は、道路に設けられる。前記基地局は、２以上の車両によって構成される連結車列において先頭に位置する第１車両から、前記第１車両が先頭車両であることを特定するための第１情報要素を含むメッセージを受信するとともに、前記連結車列において後尾に位置する第２車両から、前記第２車両が後尾車両であることを特定するための第２情報要素を含むメッセージを受信する受信部と、前記第１情報要素及び前記第２情報要素に基づいて、前記道路に設けられる交通安全装置を制御するメッセージを前記交通安全装置に送信する制御部と、を備える。
【０００５】
第２の特徴に係る車両は、道路に設けられる基地局と少なくとも通信を行う。前記車両は、前記基地局にメッセージを送信する送信部と、前記送信部を少なくとも制御する制御部と、を備える。前記制御部は、前記車両が２以上の車両によって構成される連結車列の先頭に位置する場合に、前記車両が先頭車両であることを特定するための第１情報要素を含むメッセージを送信するように前記通信部を制御する。前記制御部は、前記車両が前記連結車列の後尾に位置する場合に、前記車両が後尾車両であることを特定するための第２情報要素を含むメッセージを送信するように前記通信部を制御する。
【０００６】
第３の特徴に係る交通通信システムは、道路に設けられる基地局と、２以上の車両によって構成される連結車列において先頭に位置する第１車両と、前記連結車列において後尾に位置する第２車両と、を備える。前記基地局は、前記第１車両から、前記第１車両が先頭車両であることを特定するための第１情報要素を含むメッセージを受信するとともに、前記第２車両から、前記第２車両が後尾車両であることを特定するための第２情報要素を含むメッセージを受信する受信部と、前記第１情報要素及び前記第２情報要素に基づいて、前記道路に設けられる交通安全装置を制御するメッセージを前記交通安全装置に送信する制御部と、を備える。
【図面の簡単な説明】
【０００７】
【図１】図１は、実施形態に係る交通通信システムの一例を示す図である。
【図２】図２は、実施形態に係る車両１０の一例を示す図である。
【図３】図３は、実施形態に係る路側機４０の一例を示す図である。
【図４】図４は、実施形態に係る路車間通信の一例を示す図である。
【図５】図５は、実施形態に係る交通通信方法の一例を示す図である。
【図６】図６は、実施形態に係る交通通信方法の一例を示す図である。
【発明を実施するための形態】
【０００８】
上述した高度交通システムにおいては、２以上の車両によって構成される車列（以下、連結車列）が道路を走行するケースが想定される。このようなケースについて、発明者等は、鋭意検討の結果、このような連結車列が交差点を通過する際には、信号機又はゲートなどの交通安全装置を適切に制御する必要性があることを見出した。
【０００９】
そこで、本開示は、２以上の車両によって構成される連結車列を適切に通行させることを可能とする基地局、車両及び交通通信システムを提供する。
【００１０】
以下において、実施形態について図面を参照しながら説明する。なお、以下の図面の記載において、同一又は類似の部分には、同一又は類似の符号を付している。
【００１１】
但し、図面は模式的なものであり、各寸法の比率などは現実のものとは異なる場合があることに留意すべきである。従って、具体的な寸法などは以下の説明を参酌して判断すべきである。また、図面相互間においても互いの寸法の関係又は比率が異なる部分が含まれている場合があることは勿論である。
【００１２】
［実施形態］
（交通通信システム）
以下において、実施形態に係る交通通信システムの一例について説明する。実施形態では、図１に示すように、道路１１０及び道路１２０が交差するケースについて例示する。ここでは、道路１１０が車両１０の通り道であり、道路１２０が車両２０の通り道であるケースを想定する。さらに、道路１１０に路側機４０が設けられるケースを例示する。路側機４０は、道路１１０の路側に設けられてもよく、道路１１０上に設けられてもよい。路側機４０は、基地局の一例である。
【００１３】
実施形態では、道路１１０及び道路１２０の交差点において、道路１１０上にゲート１３０（ゲート１３１及びゲート１３２）が設けられてもよく、道路１２０上に信号機１４０（信号機１４１及び信号機１４２）が設けられてもよい。
【００１４】
車両１０は、自動二輪車、自動三輪車、自動四輪車などの自動車であってもよい。車両１０は、電車であってもよい。車両１０は、路側機４０と通信（路車間通信）を行う。ここでは、車両１０がバスであるケースを例示する。図１では、車両１０として、車両１０Ａ、車両１０Ｂ及び車両１０Ｃが例示されている。車両１０Ａは、１以上の被牽引車両を牽引する牽引車両の一例である。車両１０Ｂ及び車両１０Ｃは、牽引車両によって牽引される１以上の被牽引車両の一例である。牽引方法は、車両１０がケーブルなどによって連結される物理的な牽引方法であってもよく、車両１０がレーダや通信などによって牽引される電子的な牽引方法であってもよい。このような牽引において、牽引を適切に維持するために車両１０間の通信（車車間通信）が行われてもよい。以下においては、２以上の車両（例えば、牽引車両及び１以上の被牽引車両）によって構成される車列を連結車列と称することもある。車両１０の詳細については後述する（図２を参照）。
【００１５】
車両２０は、自動二輪車、自動三輪車、自動四輪車などの自動車であってもよい。ここでは、車両２０が乗用車であるケースを例示する。車両２０は、路側機４０と通信（路車間通信）を行ってもよい。車両２０は、他の車両と通信（車車間通信）を行ってもよい。
【００１６】
路側機４０は、車両１０と通信（路車間通信）を行う。路側機４０は、車両２０と通信（路車間通信）を行ってもよい。路側機４０は、ゲート１３０と通信を行う機能を有していてもよい。路側機４０は、信号機１４０と通信を行う機能を有していてもよい。上述した車車間通信は、路車間通信が行われていないタイミングで行われてもよい。路側機４０の詳細については後述する（図３を参照）。
【００１７】
道路１１０は、車両１０の通り道である。道路１１０は、自動車道であってもよく、線路であってもよい。道路１１０は、車両２０の進入が制限された車両１０の専用道であってもよい。
【００１８】
道路１２０は、車両２０の通り道である。道路１２０は、自動車道であってもよい。道路１２０は、車両１０の進入が許容された道路であってもよい。
【００１９】
ゲート１３０は、道路に設けられる交通安全装置の一例であり、連結車列が通る進行道路（ここでは、道路１１０）に設けられる。ゲート１３０は、道路１１０への車両２０の進入を制限するためのゲートである。ゲート１３０は、車両１０が交差点を通過しないときに閉じ、車両１０が交差点を通過するときに開くように構成される。例えば、ゲート１３０は、車両１０の運行スケジュールに応じて開閉してもよい。ゲート１３０は、交差点への車両１０の接近に応じて開き、交差点からの車両１０の離脱に応じて閉じてもよい。車両１０の接近及び離脱は、車両１０からメッセージを受信できるか否かに基づいて路側機４０によって検出された上で、路側機４０からゲート１３０に通知されてもよい。
【００２０】
信号機１４０は、道路に設けられる交通安全装置の一例であり、連結車列が通る進行道路と交差する交差道路（ここでは、道路１２０）に設けられる。信号機１４０は、車両２０の交差点の通過を許可するか否かを示す信号（例えば、青信号、黄信号、赤信号）を表示するように構成される。信号機１４０は、車両２０に注意喚起を促す点滅信号を表示するように構成されてもよい。例えば、信号機１４０は、予め定められたスケジュールに応じて信号を切り替えてもよい。ゲート１３０は、交差点への車両１０の接近及び交差点からの車両１０の離脱に応じて信号を切り替えてもよい。車両１０の接近及び離脱は、車両１０からメッセージを受信できるか否かに基づいて路側機４０によって検出された上で、路側機４０から信号機１４０に通知されてもよい。
【００２１】
（車両）
以下において、実施形態に係る車両の一例について説明する。ここでは、車両として車両１０を例示する。図２に示すように、車両１０は、通信部１１及び制御部１２を有する。
【００２２】
通信部１１は、無線通信モジュールによって構成される。通信部１１は、キャリアセンスを行って電波の周波数（例えば、７００ＭＨｚ帯）の空き状態を判定する機能を有していてもよい。信部１１は、電波の周波数が空いているタイミングでパケットを送信する。１以上のパケットによって１つのメッセージが構成されてもよい。
【００２３】
通信部１１は、路車間通信を行ってもよく、車車間通信を行ってもよい。パケットは、送信元の識別に用いる識別情報、路側機４０に対する同期方法を示す同期情報、パケットの送信時刻、路車間通信の期間を示す期間情報（路車間通信の転送回数、路車間通信の期間長）などを含む。車車間通信は、路車間通信に伴って生じる通信（パケット転送）を含んでもよく、牽引を適切に維持するための通信（車間距離を維持するための通信など）を含んでもよい。
【００２４】
以下において、上述したメッセージを踏まえて、メッセージの詳細について説明する。
【００２５】
通信部１１は、２以上の車列によって構成される連結車列において車両１０が先頭に位置する車両（第１車両と称することもある）である場合に、車両１０が先頭車両であることを特定するための第１情報要素を含むメッセージを送信する。通信部１１は、連結車列において車両１０が後尾に位置する車両（第２車両と称することもある）である場合に、車両１０が後尾車両であることを特定するための第２情報要素を含むメッセージを送信する。
【００２６】
第１に、第１情報要素は、自身の車両１０が先頭車両であることを識別する情報要素を含んでもよい。第２情報要素は、自身の車両１０が後尾車両であることを識別する情報要素を含んでもよい。これらの情報要素は、先頭車両、後尾車両及びこれら以外の車両を表す２ビットフラグを含んでもよい。
【００２７】
第２に、第１情報要素は、先頭車両の位置を示す情報要素を含んでもよい。第２情報要素は、後尾車両の位置を示す情報要素を含んでもよい。位置を示す情報要素は、自身の車両１０が何両目の車両であるかを示す情報要素を含んでもよい。このようなケースにおいて、第１情報要素及び第２情報要素は、連結車列を構成する車両の数を示す情報要素を含むことが好ましい。例えば、第１情報要素及び第２情報要素は、○○／××で表されてもよい。××は、自身の車両１０が何両目の車両であるかを示す情報要素であり、○○は、連結車列を構成する車両の数を示す情報要素である。或いは、位置を示す情報要素は、自身の車両１０の緯度及び経度を示す情報要素を含んでもよい。このようなケースであっても、路側機４０は、車両１０の緯度及び経度を示す情報要素に基づいて、連結車列を構成する車両１０を特定することができ、車両１０が先頭車両であるのか後尾車両であるのかを判定することができる。
【００２８】
通信部１１は、牽引車両によって１以上の被牽引車両が牽引されているか否かを示す情報要素を含むメッセージを送信してもよい。例えば、情報要素は牽引の有無を示す１ビットフラグであってもよい。
【００２９】
通信部１１は、車両１０が牽引車両である場合に、１以上の被牽引車両を牽引しているか否かを示す情報要素を含むメッセージを送信してもよい。例えば、情報要素は、車両１０が牽引車両であるか否かを示す１ビットフラグであってもよい。このような情報要素は、上述した第１情報要素として用いられてもよい。或いは、通信部１１は、車両１０が被牽引車両である場合に、牽引車両によって牽引されているか否かを示す情報要素を含むメッセージを送信してもよい。例えば、情報要素は、車両１０が被牽引車両であるか否かを示す１ビットフラグであってもよい。或いは、情報要素は、車両１０が牽引車両であるか被牽引車両であるかを示す１ビットフラグであってもよい。
【００３０】
通信部１１は、牽引車両によって１以上の被牽引車両が牽引されている場合において、牽引車両及び被牽引車両を含む車列の長さを表す情報要素を含むメッセージを送信してもよい。車列の長さは、車列を構成する車両１０の数で表されてもよく、車列の物理的な長さで表されてもよく、車列の長さに応じて予め定められたインデックスで表されてもよい。
【００３１】
通信部１１は、牽引車両によって１以上の被牽引車両が牽引されている場合において、牽引方法を示す情報要素を含むメッセージを送信してもよい。上述したように、牽引方法としては、車両１０が物理的に連結される牽引方法であってもよく、車両１０が電子的に連結される牽引方法であってもよい。
【００３２】
制御部１２は、メモリ及びＣＰＵなどを有する制御回路によって構成される。制御部１２は、少なくとも通信部１１を制御する。例えば、制御部１２は、牽引車両によって１以上の被牽引車両が牽引されている場合において、上述した情報要素を含むメッセージを送信するように通信部１１を制御する。
【００３３】
実施形態において、メッセージは、ブロードキャストで送信されてもよい。このようなケースにおいて、メッセージは、相手を特定する情報要素を含んでいてもよく、相手を特定する情報要素を含んでいなくてもよい。
【００３４】
（路側機）
以下において、実施形態に係る路側機の一例について説明する。図３に示すように、路側機４０は、通信部４１及び制御部４２を有する。
【００３５】
路側機４０の無線通信方式は、ＡＲＩＢ  Ｔ１０９に準拠してもよく、３ＧＰＰ（３ｒｄ  ＧｅｎｅｒａｔｉｏｎＰａｒｔｎｅｒｓｈｉｐ  Ｐｒｏｊｅｃｔ）で定義されるＶ２Ｘ（Ｖｅｈｉｃｌｅ  ｔｏ  Ｅｖｅｒｙｔｈｉｎｇ）に準拠してもよく、無線ＬＡＮなどの方式に準拠してもよい。路側機４０は、これらの通信規格の全てに対応可能なオールインタイプであってもよい。
【００３６】
通信部４１は、無線通信モジュールによって構成される。通信部４１は、キャリアセンスを行って電波の周波数（例えば、７００ＭＨｚ帯）の空き状態を判定する機能を有していなくてもよい。通信部４１は、制御部４２によって決定されたタイミングでパケットを送信する。１以上のパケットによって１つのメッセージが構成されてもよい。
【００３７】
通信部４１は、路車間通信を行ってもよい。パケットは、送信元の識別に用いる識別情報、路側機４０に対する同期方法を示す同期情報、パケットの送信時刻、路車間通信の期間を示す期間情報（路車間通信の転送回数、路車間通信の期間長）などを含む。
【００３８】
通信部４１は、連結車列において先頭に位置する第１車両から、第１車両が先頭車両であることを特定するための第１情報要素を含むメッセージを受信する。通信部４１は、連結車列において後尾に位置する第２車両から、第２車両が後尾車両であることを特定するための第２情報要素を含むメッセージを受信する。通信部４１は、牽引車両によって１以上の被牽引車両が牽引されているか否かを示す情報要素を含むメッセージを受信してもよい。通信部４１は、車両１０が牽引車両であるか被牽引車両であるかを示す情報要素を含むメッセージを受信してもよい。通信部４１は、牽引車両及び被牽引車両を含む車列の長さを表す情報要素を含むメッセージを受信してもよい。通信部４１は、牽引方法を示す情報要素を含むメッセージを受信してもよい。
【００３９】
制御部４２は、メモリ及びＣＰＵなどを有する制御回路によって構成される。制御部４２は、少なくとも通信部４１を制御する。例えば、制御部４２は、第１情報要素及び第２情報要素に基づいて、道路に設けられる交通安全装置を制御するメッセージを交通安全装置に送信することによって交通安全装置を制御してもよい。
【００４０】
第１に、制御部４２は、第１情報要素に基づいて、ゲート１３０を開くように指示するメッセージを送信し、第２情報要素に基づいて、ゲート１３０を閉じるように指示するメッセージを送信してもよい。具体的には、制御部４２は、第１情報要素に基づいて連結車列に含まれる先頭車両の近接を検出し、先頭車両の近接検出に応じてゲート１３０を開くべきタイミングを特定することができる。同様に、制御部４２は、第２情報要素に基づいて連結車列に含まれる後尾車両の離脱を検出し、後尾車両の離脱検出に応じてゲート１３０を閉じるべきタイミングを特定することができる。
【００４１】
第２に、制御部４２は、第１情報要素に基づいて、交差道路を通る車両２０の停止信号を信号機１４０に表示するように要求するメッセージを送信し、第２情報要素に基づいて、交差道路を通る車両２０の進行信号を信号機１４０に表示するように要求するメッセージを送信してもよい。具体的には、制御部４２は、第１情報要素に基づいて連結車列に含まれる先頭車両の近接を検出し、先頭車両の近接検出に応じて停止信号を信号機１４０に表示すべきタイミングを特定することができる。同様に、制御部４２は、第２情報要素に基づいて連結車列に含まれる後尾車両の離脱を検出し、後尾車両の離脱検出に応じて進行信号を信号機１４０に表示すべきタイミングを特定することができる。
【００４２】
（路車間通信）
以下において、実施形態に係る路車間通信の一例について説明する。図４に示すように、路車間通信は、制御周期（例えば、１００ｍｓ）において制御単位時間（例えば、１６μｓ）を最小単位として行われる。制御周期において路側機４０がパケットを送信可能な回数の上限（例えば、Ｎ＝１６回）が定められている。１回の送信期間は可変長であり、１回の送信期間の上限（例えば、３０２４μｓ）が定められている。
【００４３】
（交通通信方法）
以下において、実施形態に係る交通通信方法の一例について説明する。ここでは、車両１０Ａが先頭車両であり、車両１０Ｃが後尾車両であるケースについて説明する。
【００４４】
第１に、第１情報要素に基づいた交通安全装置の制御について説明する。
【００４５】
図５に示すように、ステップＳ１０において、連結車列を構成する車両１０は、牽引を適切に維持するためのメッセージの通信（車車間通信）を行う。このような車車間通信は継続的に行われている。
【００４６】
ステップＳ１１において、路側機４０は、メッセージを送信する（路車間通信）。具体的には、路側機４０は、制御周期毎に路車間通信のパケットを送信する。
【００４７】
ステップＳ１２において、車両１０Ａは、第１情報要素を含むメッセージを送信する。車両１０Ａは、路側機４０からパケットを受信した場合に、上述したメッセージを送信してもよい。すなわち、車両１０Ａは、路側機４０に接近した状態で、上述したメッセージを送信してもよい。車両１０Ａは、このようなメッセージを制御周期毎に繰り返しで送信してもよい。
【００４８】
ステップＳ１３において、路側機４０は、第１情報要素を含むメッセージの受信に応じて、車両１０Ａ（すなわち、先頭車両）の近接を検出する。路側機４０は、ゲート１３０を開くように指示するメッセージを送信することによってゲート１３０を制御してもよい。交差道路を通る車両２０の停止信号を信号機１４０に表示するように要求するメッセージを送信することによって信号機１４０を制御してもよい。
【００４９】
図５に示すケースでは、第１情報要素を含むメッセージの受信に応じて、車両１０Ａの近接を検出するが、実施形態はこれに限定されるものではない。第１情報要素が車両１０Ａの位置（緯度及び経度）を示す情報要素を含む場合には、路側機４０は、車両１０Ａの位置に基づいて車両１０Ａの近接を検出してもよい。
【００５０】
第２に、第２情報要素に基づいた交通安全装置の制御について説明する。
【００５１】
図６に示すように、ステップＳ１０において、連結車列を構成する車両１０は、牽引を適切に維持するためのメッセージの通信（車車間通信）を行う。このような車車間通信は継続的に行われている。
【００５２】
ステップＳ２１において、路側機４０は、メッセージを送信する（路車間通信）。具体的には、路側機４０は、制御周期毎に路車間通信のパケットを送信する。
【００５３】
ステップＳ２２において、車両１０Ｃは、第２情報要素を含むメッセージを送信する。車両１０Ｃは、路側機４０からパケットを受信した場合に、上述したメッセージを送信してもよい。すなわち、車両１０Ｃは、路側機４０に接近した状態で、上述したメッセージを送信してもよい。車両１０Ｃは、このようなメッセージを制御周期毎に繰り返しで送信してもよい。
【００５４】
ステップＳ２３において、路側機４０は、第２情報要素を含むメッセージを車両１０Ｃから受信できなくなる。
【００５５】
ステップＳ２４において、路側機４０は、第２情報要素を含むメッセージの非受信に応じて、車両１０Ｃ（すなわち、後尾車両）の離脱を検出する。路側機４０は、ゲート１３０を閉じるように指示するメッセージを送信することによってゲート１３０を制御してもよい。交差道路を通る車両２０の進行信号を信号機１４０に表示するように要求するメッセージを送信することによって信号機１４０を制御してもよい。
【００５６】
図６に示すケースでは、第２情報要素を含むメッセージの非受信に応じて、車両１０Ｃの離脱を検出するが、実施形態はこれに限定されるものではない。第２情報要素が車両１０Ｃの位置（緯度及び経度）を示す情報要素を含む場合には、路側機４０は、車両１０Ｃの位置に基づいて車両１０Ｃの離脱を検出してもよい。
【００５７】
（作用及び効果）
実施形態では、路側機４０は、連結車列において先頭に位置する第１車両から、第１車両が先頭車両であることを特定するための第１情報要素を含むメッセージを受信するとともに、連結車列において後尾に位置する第２車両から、第２車両が後尾車両であることを特定するための第２情報要素を含むメッセージを受信する。このような構成によれば、このような構成によれば、連結車列の近接及び離脱を路側機４０が適切に検出することができる。
【００５８】
実施形態では、路側機４０は、第１情報要素及び第２情報要素に基づいて、道路に設けられる交通安全装置を制御するメッセージを交通安全装置に送信する。このような構成によれば、連結車列の近接及び離脱に応じて交通安全装置が制御されるため、連結車列を適切に通行させることができる。
【００５９】
［変更例１］
以下において、実施形態の変更例１について説明する。以下においては、実施形態に対する相違点について主として説明する。
【００６０】
変更例１において、路側機４０は、連結車列を構成する２以上の車両１０のそれぞれから、２以上の車両１０のそれぞれの位置を示す第３情報要素を含むメッセージを受信する。第３情報要素は、車両１０の緯度及び経度を示す情報要素を含む。
【００６１】
このようなケースにおいて、路側機４０は、第３情報要素に基づいて、２以上の車両１０が連結車列を構成しているか否かを判定してもよい。例えば、路側機４０は、２以上の車両１０の距離が一定に維持されている場合に、２以上の車両１０が連結車列を構成していると判定してもよい。このような構成によれば、牽引車両によって１以上の被牽引車両が牽引されているか否かを示す情報要素が車両１０から送信されるメッセージに含まれていなくても、路側機４０は、２以上の車両１０が連結車列を構成しているか否かを判定することが可能である。
【００６２】
ここで、路側機４０は、実施形態と同様に、車両１０の位置に基づいて、車両１０が先頭車両であるのか後尾車両であるのかを判定してもよい。路側機４０は、判定結果に基づいて、交通安全装置を制御してもよい。
【００６３】
［その他の実施形態］
本開示は上述した実施形態によって説明したが、この開示の一部をなす論述及び図面は、この開示を限定するものであると理解すべきではない。この開示から当業者には様々な代替実施形態、実施例及び運用技術が明らかとなろう。
【００６４】
実施形態では特に触れていないが、路側機４０は、他の路側機と通信を行ってもよい（路路間通信）。
【００６５】
実施形態では、車両１０及び路側機４０を中心に説明したが、実施形態はこれに限定されるものではない。車両１０及び路側機４０の少なくともいずれか１つに設けられる通信装置が提供されてもよい。通信装置は、通信部１１の機能又は通信部４１の機能を有する。
【００６６】
ここで、本実施形態の車両は、各国の交通に係る法律上の車両（例えば、日本の道路交通法の「車両等」であれば自動車、原動機付自転車、軽車両、トロリーバス及び路面電車）を含むがこれに限定されない。車両は、自走するものであればよく、例えば、産業機械のうち自走するもの（いわゆる、産業車両）、農業機械のうち自走するもの（いわゆる、農業車両）、建設機械のうち自走するもの（いわゆる、建設車両）等、も含む。さらに、上述の実施形態の説明に矛盾しなければ、車両の自走手段は車輪である必要はなく、いわゆるエアロモービルと呼ばれる空飛ぶ自動車も車両に含みうる。
【００６７】
本実施形態の道路は、上述の説明に加え、交通に係る法律（例えば、日本でいう道路交通法）上の道路を含むがこれに限定されない。本実施形態の道路は、車両が通行するための道であればよい。
【００６８】
本願は、日本国特許出願第２０１８−１４０９３６号（２０１８年７月２７日出願）の優先権を主張し、その内容のすべてが本願明細書に組み込まれている。 
【図１】
2020022398.tif 000003
【図２】
2020022398.tif 000004
【図３】
2020022398.tif 000005
【図４】
2020022398.tif 000006
【図５】
2020022398.tif 000007
【図６】
2020022398.tif 000008
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
道路に設けられる基地局であって、
２以上の車両によって構成される連結車列において先頭に位置する第１車両から、前記第１車両が前記基地局に接近した場合に送信される情報であって、前記第１車両が先頭車両であることを特定するための第１情報要素を含むメッセージを受信するとともに、前記連結車列において後尾に位置する第２車両から、前記第２車両が前記基地局に接近した場合に送信される情報であって、前記第２車両が後尾車両であることを特定するための第２情報要素を含むメッセージを受信する受信部と、
前記第１情報要素及び前記第２情報要素に基づいて、前記道路に設けられる交通安全装置を制御するメッセージを前記交通安全装置に送信する制御部と、を備える基地局。
【請求項２】
前記交通安全装置として、前記連結車列が通る進行道路に設けられるゲートが設けられており、
前記制御部は、
前記第１情報要素に基づいて、前記ゲートを開くように指示するメッセージを送信し、
前記第２情報要素に基づいて、前記ゲートを閉じるように指示するメッセージを送信する、請求項１に記載の基地局。
【請求項３】
前記交通安全装置として、前記連結車列が通る進行道路と交差する交差道路に設けられる信号機が設けられており、
前記制御部は、
前記第１情報要素に基づいて、前記交差道路を通る車両の停止信号を前記信号機に表示するように要求するメッセージを送信し、
前記第２情報要素に基づいて、前記交差道路を通る車両の進行信号を前記信号機に表示するように要求するメッセージを送信する、請求項１及び請求項２のいずれか１項に記載の基地局。
【請求項４】
前記第１情報要素は、前記第１車両が前記先頭車両であることを識別する情報要素及び前記第１車両の位置を示す情報要素の少なくともいずれか１つを含む、請求項１乃至請求項３のいずれか１項に記載の基地局。
【請求項５】
前記第２情報要素は、前記第２車両が前記後尾車両であることを識別する情報要素及び前記第２車両の位置を示す情報要素の少なくともいずれか１つを含む、請求項１乃至請求項４のいずれか１項に記載の基地局。
【請求項６】
前記受信部は、前記２以上の車両のそれぞれから、前記２以上の車両のそれぞれの位置を示す第３情報要素を含むメッセージを受信し、
前記制御部は、前記第３情報要素に基づいて、前記２以上の車両が前記連結車列を構成しているか否かを判定する、請求項１乃至請求項５のいずれか１項に記載の基地局。
【請求項７】
道路に設けられる基地局と少なくとも通信を行う車両であって、
前記基地局にメッセージを送信する送信部と、
前記送信部を少なくとも制御する制御部と、を備え、
前記制御部は、
前記車両が２以上の車両によって構成される連結車列の先頭に位置する場合に、前記車両が前記基地局に接近した場合に送信される情報であって、前記車両が先頭車両であることを特定するための第１情報要素を含むメッセージを送信するように前記通信部を制御し、
前記車両が前記連結車列の後尾に位置する場合に、前記車両が前記基地局に接近した場合に送信される情報であって、前記車両が後尾車両であることを特定するための第２情報要素を含むメッセージを送信するように前記通信部を制御する、車両。
【請求項８】
道路に設けられる基地局と、
２以上の車両によって構成される連結車列において先頭に位置する第１車両と、
前記連結車列において後尾に位置する第２車両と、を備え、
前記基地局は、
前記第１車両から、前記第１車両が前記基地局に接近した場合に送信される情報であって、前記第１車両が先頭車両であることを特定するための第１情報要素を含むメッセージを受信するとともに、前記第２車両から、前記第２車両が前記基地局に接近した場合に送信される情報であって、前記第２車両が後尾車両であることを特定するための第２情報要素を含むメッセージを受信する受信部と、
前記第１情報要素及び前記第２情報要素に基づいて、前記道路に設けられる交通安全装置を制御するメッセージを前記交通安全装置に送信する制御部と、を備える、交通通信システム。
【国際調査報告】
2020022398.tif 000009
2020022398.tif 000010